Podtech/llm-jp-corpus-v4-ja_patent huggingface dataset:
(57)【要約】      （修正有）【課題】長方形の厚紙に透明フィルム袋を貼り付けてポケットとしその開口部から絵を挿入して、かべかけ又は卓上型額とすることができるポケット付額を提供する。【解決手段】一枚の長方形の厚紙の片面にやはり長方形でその一辺が開口部である透明フィルムの袋を貼り付けてポケットとし最上部に吊るし孔を設けてかべかけ額とする。また同様な用紙を用いてその一部区画により小さなポケットを貼り付け、全体を∧形に折り曲げその頂辺にポケットの開口部がくるようにして用紙の上下端を重ね合せて接着し、平らな底面とし卓上型額とする。【選択図】図４
0003177534.tif 000002
【実用新案登録請求の範囲】
【請求項１】
１枚の縦長の長方形の厚紙を共通用紙とし、これを所要の複数区画に分割し、その最上区画の中央に吊るし孔を設け、所定の区画上に開口部を上向きにした透明フィルム袋から成るポケットを貼り付け吊るし孔によってかべにかけられるようにしてかべかけ額とし、またこのポケットより小さなポケットを用紙の所定の区画上に開口部を上向きにして貼り付け、全体を上下方向に所定の方法で折り、更により小さい最上、最下区画を内側に折って重ね合せて接着し、△状に成形してその平らな底面を卓上に置けるようにして卓上型とし、このように１種類の共通用紙をかべかけ型及び卓上型の両方に兼用することが出来ることを特徴とするポケット付き額。
【考案の詳細な説明】
【技術分野】
【０００１】  本考案は現在一般に利用されている絵や賞状を入れて、壁にかけ又は卓上型として使用されている額に関するもの。
【背景技術】
【０００２】  従来のかべかけ用及び卓上用額は、木製、アルミ・・・の外枠の内側の透明ガラス窓の内側に絵を入れて、これを裏板によってはさんだ溝造のものであって、複雑な構造なので制作が面倒で高価であり現在の大半の家の構造では壁にかけにくく不便である。
【考案の開示】
【考案が解決しようとする課題】
【０００３】１・構造が簡単で製作し易いこと。
２・かべかけ型だけでなく卓上型をも共通の用紙及び手法によって制作できること。
３・内部に入れる絵や賞状が汚れにくいこと。
４・額に付属するポケットには複数枚の絵を入れ易いこと。
【課題を解決するための手段】
【０００４】  一枚の長方形の厚紙の一部に透明フィルムから成るポケット袋を貼り付けて、その上部の開口部から絵を内部に挿入できるようにし、更に厚紙の最上部に吊るし孔を設けてポケット付きかべかけ額とする。
また同じ用紙のより小さな区画にも小さなポケット袋を貼り付け、用紙全体の中央及び巾のせまい上下端を折って重ね合せ接着して△形に成形しポケット付き卓上型額とする。
【考案の効果】
【０００５】  従来品と比べ次の効果をもつ
１・紙製なので制作がかんたんで低コストで済む。
２・かべかけ型と卓上型の２種類が共通の素材や手法で制作可能である。
３・透明袋のポケット付きなので、その中にカードや絵を複数枚入れて外から眺められる。
４・中身はポケットに入るので中身の汚れを防ぐ。
５・紙製なので紙の部分の表面に印刷が容易である。
【考案を実施するための最良の形態】
【０００６】  図１、図２、図３、図４
図１のような１枚の長方形の厚紙１を用意し、その四隅をＡＢＣＤとし、それを４つの区画１−１、１−２，１−３、１−４に分割しそれぞれの四隅をＡＥＦＤ、ＥＧＨＦ、ＧＩＪＨ、ＩＢＣＪとし、ＡＢＦＤとＩＢＣＪは小さくＥＧＨＦ、ＧＩＪＨは大きい面積とし、次に図２のような透明フィルムの袋のポケットＥＢＣＦを１−２、１−３、１−４の３区画にまたがった上に貼り合わせ、その上端ＥＦを開口部、下端ＢＣを底辺とし、また区画１−１の中央に孔Ｋを設けたものをかべかけ型額とし、この開口部ＥＦからカードをポケット内に挿入出来る。
次に区画１−３上に図３のようなより小さいポケットＧＩＪＨを、辺ＧＨを開口部として貼り合わせ、境界線をＥＦ、ＧＨ、ＩＪによって用紙１を山形△に折って、区画１−１と１−４を重ね合せのりで接着して、図４のようにその底面を平らにして全体を卓上に置くことが可能で頂辺ＧＨにポケットの開口部をもつ卓上型額とする。
【図面の簡単な説明】
【０００７】
【図１】本考案に於ける透明ポケット付きかべかけ額の正面図
【図２】本考案に於けるかべかけ用透明ポケットの正面図
【図３】本考案に於ける卓上額用透明ポケットの正面図
【図４】本考案に於ける透明ポケット付き卓上額見取り図
【符号の説明】
【０００８】１      ；  本考案に於ける長方形厚紙の基本用紙
ＡＢＣＤ：  本考案に於ける長方形厚紙の基本用紙の４隅
１−１、１−２、１−３、１−４：
本考案に於ける長方形厚紙の基本用紙の分割された区画
ＡＥＦＤ：  本考案に於ける用紙の区画１−１の４隅
ＥＧＨＦ：  本考案に於ける用紙の区画１−２の４隅
ＧＩＪＨ：  本考案に於ける用紙の区画１−３の４隅
ＩＢＣＪ：  本考案に於ける用紙の区画１−４の４隅
Ｋ      ：  本考案に於ける用紙の区画１−１に設けられた吊るし孔
【図１】
0003177534.tif 000003
【図２】
0003177534.tif 000004
【図３】
0003177534.tif 000005
【図４】
0003177534.tif 000006
(57)【要約】      （修正有）【課題】装置自体が発光し、マークした場所が視認しやすくするゴルフマーカーに用いる発光装置を提供する。【解決手段】台座に磁性体を付加し、この磁性体にゴルフマーカーが付着している時は電源をＯＦＦ、磁性体から離れた時ＯＮとなる磁力によるスイッチを使用する。【選択図】図１
0003177535.tif 000002
【実用新案登録請求の範囲】
【請求項１】
磁力の力を利用し磁力の影響が無くなった時、又は磁力の影響を受けたとき電流が流れるスイッチの仕組みを持ち、発光素子を組込んだ電子回路に電流を流す事により発光素子が発光する事を特徴とする発光装置。
【考案の詳細な説明】
【技術分野】
【０００１】本考案は、ゴルフのグリーンで使用するゴルフマーカーに、視認性を上げる為の発光素子を組んだゴルフマーカと磁力により電流のオン、オフの制御が出来る装置に関するものである。
【背景技術】
【０００２】従来のゴルフマーカーは、プラスティックや金属にて作成されており、平面的な形状の為  視認性が良くなく、視認性を改良したものとしては、フォログラムや蛍光塗料を利用したもので、反射技術を付加してはいるが、自ら発光するといった技術が使用されていない。
【先行技術文献】
【特許文献】
【０００３】
【特許文献１】実用新案公開平５−７０５６５公報
【特許文献２】登録実用新案第３１６９６４０号公報
【考案の概要】
【考案が解決しようとする課題】
【０００４】従来の技術では光を点滅させたり光の強さを制御することが出来ず、日中でも曇天ではその威力を発揮できないので、ゴルフマーカーに発光素子を取り付けマーカーの視認性を向上させる。
【課題を解決するための手段】
【０００５】発光素子を組み込んだ電子回路をゴルフマーカーに付加させ、ゴルフマーカーをグリーンに置いた時、ゴルフマーカーの視認性をよくする。
【考案の効果】
【０００６】本考案のゴルフマーカーは、日中の晴天時、曇天、雨天、薄暮、夜間での使用において、電子回路により発光素子を発光させたり点滅させる事により視認性を良くするゴルフマーカーを提供する。
【図面の簡単な説明】
【０００７】
【図１】本発明のゴルフマーカー分解斜視図である。
【図２】本発明のゴルフマーカー断面構造図である。
【図３】本発明のゴルフマーカー断面スイッチＯＮ構造図である。
【図４】本発明のゴルフマーカー断面スイッチＯＦＦ構造図である。
【考案を実施するための形態】
【０００８】発光素子を発光させるためには、電流を流す必要が有り、電流を流すためにはスイッチをオンにする必要が有り通常は手動でスイッチのＯＮ、ＯＦＦを行う。
【０００９】磁力の力でスイッチのオン、オフを制御することにより、ゴルフマーカーを磁性体付き金属クリップから離しボールの有る位置にゴルフマーカーを置く事により発光素子に電流が流れ発光素子が発光する事によりスイッチの操作が不要となる為、操作性が極めてよくなる。
【実施例】
【００１０】従来、磁性体がボールマーカーに付加されており、クリップは金属で作成され、クリップを帽子のつばに付着させ、このクリップに磁性体付きボールマーカーを磁力により付着させるといった使い方をしていたが、本考案はクリップに磁性体を付加させクリップは発光素子を組み込んだ電子回路と金属で作成する。【００１１】発光素子が点滅することにより他のゴルフプレーヤーの邪魔になる時には、磁性体付きクリップに発光はするが点滅しないゴルフマーカーかあるいは、発光回路を持たない金属で出来たゴルフマーカーも付着し、合計２種類のボールマーカーから使う場所によりゴルフプレーヤーが選択することが出来るようにしておけば他のプレーヤーの邪魔にならない。【００１２】図１の２における反射板にロゴなどを印刷することによりファッション性を高められる。
【産業上の利用可能性】
【００１３】本考案を応用することにより懐中電灯などに磁性体によるスイッチを付加し、磁性体を金具に付け、磁性体が付加された金具から離す事によりスイッチがＯＮとなる懐中電灯や、磁性体に付着する事によりスイッチがＯＮとなる懐中電灯とヘルメットに磁性体を付加しておき暗くなった時、磁性体付きヘルメットに懐中電灯を付着させる事により懐中電灯が発光し手元を照らすと言った使用方法が考えられる。
【符号の説明】
【００１４】１．カバー
２．反射板
３．電子回路
４．台座
５．バッテリィ
６．スイッチ
７．発光素子
８．ゴルフマーカー
９．磁性体
１０．金属クリップ
１１．磁性体から離れた時スイッチＯＮ
１２．磁性体に付いた時スイッチＯＦＦ
【図１】
0003177535.tif 000003
【図２】
0003177535.tif 000004
【図３】
0003177535.tif 000005
【図４】
0003177535.tif 000006
(57)【要約】【課題】光取り出し効率を高め、放熱効果に優れ、適用可能な出力の範囲が広い金属反射キャビティ構造を有するＳＭＤ型ＬＥＤフレームを提供する。【解決手段】本考案のＳＭＤ型ＬＥＤフレームは、プラスチックフレーム１及び金属フレームを含む。本考案のＳＭＤ型ＬＥＤフレームの反射カップは、金属反射キャビティ構造を有する。反射カップは、底面３及び側面４の金属片によって囲まれた凹状のキャビティ構造を有する。側面４の金属片は、底面３の金属片が湾曲されて形成される。反射カップの内表面には、一層の高反射材料が鍍金される。【選択図】図１
0003177540.tif 000002
【実用新案登録請求の範囲】
【請求項１】
プラスチックフレーム及び金属フレームを備える金属反射キャビティ構造を有するＳＭＤ型ＬＥＤフレームであって、
前記ＳＭＤ型ＬＥＤフレームの反射カップは、金属反射キャビティ構造を有することを特徴とする金属反射キャビティ構造を有するＳＭＤ型ＬＥＤフレーム。
【請求項２】
前記反射カップは、底面及び側面によって囲まれた凹状のキャビティ構造を有することを特徴とする請求項１に記載の金属反射キャビティ構造を有するＳＭＤ型ＬＥＤフレーム。
【請求項３】
前記側面の金属片は、前記底面の金属片が湾曲されて形成されることを特徴とする請求項２に記載の金属反射キャビティ構造を有するＳＭＤ型ＬＥＤフレーム。
【請求項４】
前記反射カップの内表面には、一層の高反射材料が鍍金されることを特徴とする請求項１に記載の金属反射キャビティ構造を有するＳＭＤ型ＬＥＤフレーム。
【考案の詳細な説明】
【技術分野】
【０００１】
本考案は、ＬＥＤフレームに関し、特に、金属反射キャビティ構造を有するＳＭＤ型ＬＥＤフレームに関する。
【背景技術】
【０００２】
従来のＳＭＤ型ＬＥＤフレームは、体積が小さく、構造が簡単であるため、全自動化された設備による大量生産に非常に適する。また、製造工程において、リフローはんだ付けを採用することができるため、半導体照明に広く応用されている。しかし、従来のＳＭＤ型ＬＥＤフレームの反射カップは、プラスチックのキャビティ構造である上、ヒートシンクの面積に限界があるため、光取り出し効率が非常に低く、放熱能力に劣り、適用可能な出力の範囲が狭い。
【先行技術文献】
【特許文献】
【０００３】
【特許文献１】特開２０１１−１７１３４５号公報
【考案の概要】
【考案が解決しようとする課題】
【０００４】
本考案の目的は、光取り出し効率が高く、放熱効果に優れ、適用可能な出力の範囲が広い金属反射キャビティ構造を有するＳＭＤ型ＬＥＤフレームを提供することにある。
【課題を解決するための手段】
【０００５】
上述の課題を解決するために、本考案のＳＭＤ型ＬＥＤフレームは、プラスチックフレーム及び金属フレームを含む。本考案のＳＭＤ型ＬＥＤフレームの反射カップは、金属反射キャビティ構造を有する。
【０００６】
反射カップは、底面及び側面の金属片によって囲まれた凹状のキャビティ構造を有する。
【０００７】
側面の金属片は、底面の金属片が湾曲されて形成される。
【０００８】
反射カップの内表面には、一層の高反射材料が鍍金される。
【考案の効果】
【０００９】
本考案のＳＭＤ型ＬＥＤフレームの反射カップは、金属フレームを主体に構成される。ＳＭＤ型ＬＥＤフレームのチップ搭載部及び回路搭載部も金属フレームからなる。反射カップは、金属反射キャビティ構造を有する。キャビティ内には、高反射材料が鍍金されるため、フレーム全体の光取り出し効率が高い。また、金属フレームがチップの搭載部とされるため、チップの放熱通路が短く、放熱能力が高い。従来のＳＭＤ型ＬＥＤフレームと比較した場合、本考案のＳＭＤ型ＬＥＤフレームは、ヒートシンクの面積が大きく、フレーム底部のみならず、反射カップ部分の金属フレームもヒートシンクに含まれる。これにより、フレーム全体の熱容量が増大され、使用可能な出力を高めることができるため、適用性を高めることができる。また、金属フレームは、金属のキャビティ構造を有する反射カップであるため、反射カップ内のプラスチックが黄色に変色し、透光量が減少することがない。即ち、本考案は、従来のＳＭＤ型ＬＥＤフレームと同様に、体積が小さく、構造が簡単であり、全自動化された設備による大量生産に適し、製造工程において、リフローはんだ付けを採用することができるという長所を有する上、光取り込み効率及び放熱能力を高めることができるため、ＳＭＤ型ＬＥＤフレームの応用領域を広げることができる。
【図面の簡単な説明】
【００１０】
【図１】本考案の一実施形態による金属反射キャビティ構造を有するＳＭＤ型ＬＥＤフレームを示す平面図である。
【図２】本考案の一実施形態による金属反射キャビティ構造を有するＳＭＤ型ＬＥＤフレームを示す背面図である。
【考案を実施するための形態】
【００１１】
本考案の金属反射キャビティ構造を有するＳＭＤ型ＬＥＤフレームの詳細な説明を図面に沿って以下に示す。
【００１２】
図１及び図２に示すように、本考案の一実施形態による金属反射キャビティ構造を有するＳＭＤ型ＬＥＤフレームは、プラスチックフレーム１及び金属フレームを含む。金属フレーム内には、金属反射カップ２が設けられる。金属反射カップ２は、底面３及び側面４の金属片によって囲まれた凹状のキャビティ構造を有する。側面４は、底面３の金属片が湾曲されて形成される。反射カップの内表面には、一層の高反射材料が鍍金される。ＳＭＤ型ＬＥＤフレームは、金属フレームを骨組みとし、プラスチックが充填されて構成される。ＳＭＤ型ＬＥＤフレームの外形及び寸法は、必要に応じて設計することができる。金属反射カップの底部は、ＬＥＤチップの搭載部であるのみならず、チップのリードの溶接パッドとすることができる。さらに、金属反射カップの底部は、外付け回路の溶接パッド５とすることができる。反射カップの側面は、底面の金属が湾曲されて形成される。反射カップ全体において、金属片の間隙部分のみがプラスチック材料からなる。これにより、反射カップに高反射材料を鍍金する際、金属フレームの光取り込み効率を高めることができる。従来のＳＭＤ型ＬＥＤフレームの金属フレームと比較し、本考案は、金属フレームの面積が大幅に増大されるため、放熱能力を高めることができる。これにより、金属反射キャビティ構造を有するＳＭＤ型ＬＥＤフレームを高出力で応用することができる。即ち、本考案は、従来のＳＭＤ型ＬＥＤフレームと同様に、体積が小さく、構造が簡単であり、全自動化された設備による大量生産に適し、製造工程において、リフローはんだ付けを採用することができるという長所を有する上、光取り込み効率及び放熱能力を高めることができるため、ＳＭＤ型ＬＥＤフレームの応用領域を広げることができる。
【符号の説明】
【００１３】
１  プラスチックフレーム
２  金属反射カップ
３  底面
４  側面
５  溶接パッド
【図１】
0003177540.tif 000003
【図２】
0003177540.tif 000004
(57)【要約】      （修正有）【課題】ゴルフゲームにおいてプレイヤーが容易にグリーンの修復ができファッション性にもすぐれたグリーンフォークを提供する。【解決手段】グリーンフォークはグリーンフォークが二股にわかれ頭髪に挿して収容できる形状となっており、持ち手には装飾具がついている。【選択図】図１
0003177533.tif 000002
【実用新案登録請求の範囲】
【請求項１】
グリーンフォーク本体の形状が二股になっており、頭髪に挿して使用できることが特徴となっている。
【請求項２】
グリーンフォークの持ち手部分に装飾具がついており、頭髪に挿したときに頭髪用装飾具（ヘアアクセサリー）のように見えることを特徴とした請求項１記載のグリーンフォーク。
【考案の詳細な説明】
【考案の詳細な説明】
【技術分野】
【０００１】本考案はゴルフゲームにおいて使用するグリーンフォークに関する。
【背景技術】
【０００２】ゴルフゲームにおいてプレーヤーはグリーン補修のためのグリーンフォークを携帯しているが、通常ウエアのポケットやポーチなどに収容している。
【考案の概要】
【考案が解決しようとする課題】
【０００３】このように通常はポケットなどに収容するグリーンフォークだが、グリーン上で余裕がないとポケットから取り出してグリーン補修するのに手間取ったり、なかなかポケットから取り出せなかったりして、結果補修をあきらめたり省略したりしてしまう。特に女性のプレーヤーにおいてはポケットが小さかったり、グリーン上での余裕がないためフォーク自体を携帯していない場合も多くみられる。
【課題を解決するための手段】
【０００４】本考案は、グリーンフォークの形状を二股の細めのものにすることで頭髪にかんざしのように挿して収容することを可能とし、グリーンフォークの持ち手部分に装飾をつけることで見た目は頭髪用装飾具（ヘアーアクセサリー）のように見える。
【考案の効果】
【０００５】グリーンフォークをかんざしのように頭髪に挿して収容していれば、グリーン上でポケットなどを探らず、頭からすっと抜くだけでフォークを容易に取り出すことが可能となる。【０００６】またグリーンフォークの持ち手部分に装飾をつけることで見た目は頭髪用装飾具（ヘアーアクセサリー）のように見えファッション性にもすぐれ、女性プレーヤーのグリーンフォークの携帯率を高めることができる。
【図面の簡単な説明】
【０００７】
【図１】グリーンフォーク全体を示した平面図である。
【図２】グリーンフォーク部分の断面図である。
【図３】それぞれのパーツ部分を別々に示した平面図である。
【図４】本発明の使用例の図である。
【考案を実施するための形態】
【０００８】以下、本考案の実施の形態を図面を参照して説明する。
図１は本考案の全体図で、１のグリーンフォークと２の装飾部と３の結合金具から構成されている。１のフォーク部分は金属製または強化プラスチック製で二股に分かれており、結合金具により装飾部と繋がれている。グリーンフォークの爪の部分の間隔は１０ｍｍ程度が好ましく、またそれぞれの爪の幅は一番太いところで５ｍｍ程度が好ましい。
グリーンフォークの長さは５０ｍｍ程度とし、爪の長さは４０ｍ程度が好ましい。
【０００９】図２はグリーンフォークの断面図で少し湾曲させることによりグリーンの修復がしやすいように加工されている。厚さは１ｍｍ程度が好ましい。
【００１０】図３はそれぞれのパーツを示しているが、２の装飾部は金属やビーズ、天然石などを用いて垂れさがる形状をしていて、頭髪に挿したときかんざしに見えるような形状をしている。
【００１１】図４は本考案の使用例を図にしたものでこのように頭髪に挿して使用することもできるし、通常のグリーンフォークと同様にポケットやポーチに収容して使用することも可能である。
【符号の説明】
【００１２】１グリーンフォーク
２装飾品
３結合金具
【図１】
0003177533.tif 000003
【図２】
0003177533.tif 000004
【図３】
0003177533.tif 000005
【図４】
0003177533.tif 000006
(57)【要約】      （修正有）【課題】砂糖や塩等の粉末状調味料を入れる調味料容器であって、調味料の残量が少なくなっても、容器の底部周縁部に溜まることなく、残った調味料のほぼ全部を計量スプーンですくい取ることができる調味料容器を提供する。【解決手段】調味料容器の容器本体１が、横長楕円形状の周壁２と、該周壁の下端縁７よりやや上方の内周壁面３に、該内周壁面に接合固定される横長楕円形状の上周縁部４を最上位として、該上周縁部より下方に緩かに湾曲した横長湾曲凹部５を連設した底板６とにより形成されている。【選択図】図２
0003177546.tif 000002
【実用新案登録請求の範囲】
【請求項１】
容器本体が、横長楕円形状の周壁と、該周壁の下端縁よりやや上方の内周壁面に、該内周壁面に接合固定される横長楕円形状の上周縁部を最上位として、該上周縁部より下方に緩かに湾曲した横長湾曲凹部を連設した底板とにより形成されたことを特徴とする調味料容器。
【考案の詳細な説明】
【技術分野】
【０００１】
本考案は、砂糖や塩等の粉末状調味料を入れる調味料容器であって、調味料の残量が少なくなっても、容器の底部周縁部に溜まることなく、残った調味料のほぼ全部を計量スプーンですくい取ることができる調味料容器に関するものである。
【背景技術】
【０００２】
従来、調味料容器に砂糖や塩等の粉末状調味料を入れ、これを計量スプーンですくい上げて計量し、料理品に添加して使用している。しかしながら、調味料の残量が少なくなると、調味料が容器の底部周縁部に付着して計量スプーンですくい上げることができず、そのため容器を傾けて残った調味料を傾斜した底部に集めてすくい上げなければならず、面倒であるという課題があった。
【０００３】
そして、調味料容器から計量スプーンで調味料をすくい上げるという先行技術につき過去の特許文献を遡及検索したところ、下記の特許文献１・２が開示されている。
【０００４】
しかしながら、特許文献１に記載された調味料入れは、計量スプーンを用いて正確に定量をすくい出すために、開口部にすり切り板を設けたものであって、調味料入れの底部周縁部に調味料が溜まるのを防止する手段は全く考慮されていないので、完全に計量スプーンですくい切ることができないという課題がある。
【０００５】
特許文献２に記載された調味料容器は、計量スプーンの取り出し及び収納が蓋体の開閉と同時に行うことができるようにしたもので、蓋体の内面に計量スプーンが一体に設けられているという構成より成るものであって、調味料入れの底部周縁部に調味料が溜まるのを防止する手段は全く考慮されていないので、完全に計量スプーンですくい切ることができないという課題がある。
【先行技術文献】
【特許文献】
【０００６】
【特許文献１】特開２００９−２４０７４８号公報
【特許文献２】実開平５−５１２２５号公報
【考案の概要】
【考案が解決しようとする課題】
【０００７】
本考案は前記課題を解決すべくなされたものであって、調味料の残量が少なくなっても、容器の底部周縁部に溜まることなく、残った調味料のほぼ全部を計量スプーンですくい取ることができる調味料容器を提供しようとするものである。
【課題を解決するための手段】
【０００８】
本考案は、容器本体が、横長楕円形状の周壁と、該周壁の下端縁よりやや上方の内周壁面に、該内周壁面に接合固定される横長楕円形状の上周縁部を最上位として、該上周縁部より下方に緩かに湾曲した横長湾曲凹部を連設した底板とにより形成されるという手段を採用することにより、上記課題を解決した。
【考案の効果】
【０００９】
前記構成より成る本考案によれば、調味料が付着して詰まるような角部が全く存在せず、調味料が接する周壁および底板の内周面はすべて湾曲面であるので、調味料が詰まることがなく、残量が少なくなった調味料はすべて底板の横長湾曲凹部内に溜まるので、簡単に計量スプーンですくい出すことができる。
【図面の簡単な説明】
【００１０】
【図１】本考案調味料容器の全体の斜視図である。
【図２】本考案調味料容器の蓋体を取外して使用状態を示す長手方向中央断面図である。
【図３】本考案調味料容器の蓋体を取外して使用状態を示す短手方向中央断面図である。
【実施例】
【００１１】
本考案の実施例を図面に基づいて詳細に説明する。本考案に係る砂糖や塩等の粉末状の調味料を入れる調味料容器の容器本体１は、横長楕円形状の周壁２と、該周壁２の下端縁よりやや上方の内周壁面３に、該内周壁面３に接合固定される横長楕円形状の上周縁部４を最上位として、該上周縁部４より下方に緩かに湾曲した横長湾曲凹部５を連設した底板６とにより形成されている。
【００１２】
そして、前記底板６の下面は、前記横長湾曲凹部５により湾曲面をなしているため、テーブル等への載置ができないので、前記周壁２の下端周縁７を前記底板６より下位に位置させて、該下端周縁７をテーブル等への載置面とする。なお、図中、８はヒンジで、該ヒンジ８に前記容器本体１を覆う蓋体９が開閉自在に取付けられている。また、図中、１０は容器本体１に取付けられた取っ手である。
【００１３】
そして、前記底板６の横長湾曲凹部５の湾曲面は、特に限定する必要はないが、好ましくは、図２・図３に示すように、計量スプーン１１の底面１２の湾曲面の形状および大きさと一致させることが推奨される。前記のように、計量スプーン１１の底面１２の湾曲面と前記横長湾曲凹部５の湾曲面の形状および大きさを一致させることにより、残量が少なくなって該横長湾曲凹部５に溜った調味料を簡単にすくい易くすることができる。なお、図中、１３は、計量スプーン１１の持ち手部１４の両側を挟持するため、蓋体９の裏面に設けられた挟持用突起である。
【００１４】
前記のように構成された本考案によれば、容器本体１は、横長楕円形状の周壁２と横長楕円形状の上周縁部４を最上位として、該上周縁部４より下方へ緩かに湾曲した横長湾曲凹部５を連設した底板６とにより形成されているので、調味料が付着して詰まるような角部が全く存在せず、調味料が接する周壁２および底板６の内周面はすべて湾曲面であるので、調味料が詰まることがなく、残量が少なくなった調味料はすべて底板６の横長湾曲凹部５内に溜まるので、計量スプーン１１を用いてすくい易いという優れた効果を有する。
【符号の説明】
【００１５】
１  容器本体
２  周壁
３  内周壁面
４  上周縁部
５  横長湾曲凹部
６  底板
７  下端周縁
８  ヒンジ
９  蓋体
１０  取っ手
１１  計量スプーン
１２  底面
１３  挟持用突起
１４  持ち手部
【図１】
0003177546.tif 000003
【図２】
0003177546.tif 000004
【図３】
0003177546.tif 000005
(57)【要約】      （修正有）【課題】災害時にガラス片や陶器片等の鋭利な物体が床に散乱した場合でも、これら危険物を踏み抜くことなく安全に使用でき、かつ軽量で、底部が柔軟性を有するため歩き易く、さらに検針にも支障が生じないスリッパを提供する。【解決手段】底部３と、甲部２とで構成されるスリッパ１において、前記底部３が、中板３１と、前記中板の下面に配置した非金属製の芯材３２と、前記中板の表面を覆うとともに前記芯材の下面に接着固定された周縁部を具備する布材３１１と、前記芯材及び前記布材の周縁部の下面に接着固定された底板３３と、を備えてなる。芯材は、好適には硬質プラスチックである。【選択図】図２
0003177584.tif 000002
【実用新案登録請求の範囲】
【請求項１】
底部と、甲部とで構成されるスリッパにおいて、
前記底部が、中板と、前記中板の下面に配置した非金属性の芯材と、前記中板の表面を覆うとともに前記芯材の下面に接着固定された周縁部を具備する布材と、前記芯材及び前記布材の周縁部の下面に接着固定された底板と、を備えたことを特徴とするスリッパ。
【請求項２】
前記芯材が、硬質プラスチックであることを特徴とする請求項１に記載のスリッパ。
【考案の詳細な説明】
【技術分野】
【０００１】
本考案は、地震等の災害時に、床や廊下等に危険物が散乱した場合でも、安全に使用することができ、しかも軽量で歩き易い災害時用スリッパに関する。
【背景技術】
【０００２】
従来より、災害時に散乱するガラス片や陶器片等の鋭利な危険物から足裏を保護できるスリッパとして、危険物が貫通し難い素材が底部に内包されたものがある。
【０００３】
例えば、特許文献１には、金属板、セラミック板又は合成樹脂板等、或いはアラミド繊維、炭素繊維等の布地を組み込んだスリッパが記載されている。
【０００４】
また、特許文献２に記載のスリッパにも、金属製の保護部材が内包されている。
【先行技術文献】
【特許文献】
【０００５】
【特許文献１】実用新案登録第３０２６３４５号公報
【特許文献２】実用新案登録第３１１０６６４号公報
【考案の概要】
【考案が解決しようとする課題】
【０００６】
しかしながら、前記特許文献１及び２に記載のスリッパに内包された保護材は、その硬さによって危険物を踏み抜くことを防止するものであって、これをスリッパ底部に内包すると、底部の柔軟性が失われるため、履いて歩こうとすると底部が曲がらず、歩き難くなってしまうという問題があった。
【０００７】
また、金属製の保護材の場合、金属の重みで歩き難いという問題もあった。さらに、金属製の保護材は、スリッパ製造工程で行われる検針において、検針器に感知されてしまい、検針作業が正確に行えないという難点があった。
【０００８】
そこで、本考案の目的は、災害時にガラス片や陶器片等の鋭利な物体が床に散乱した場合でも、これら危険物を踏み抜くことなく安全に使用でき、かつ軽量で、底部が柔軟性を有するため歩き易く、さらに検針にも支障が生じないスリッパを提供することである。
【課題を解決するための手段】
【０００９】
上記の目的を達成するべく本考案は、以下の構成を提供する。
（１）請求項１に係る考案は、底部と、甲部とで構成されるスリッパにおいて、
前記底部が、中板と、前記中板の下面に配置した非金属製の芯材と、前記中板の表面を覆うとともに前記芯材の下面に接着固定された周縁部を具備する布材と、前記芯材及び前記布材の周縁部の下面に接着固定された底板と、を備えたことを特徴とする。
【００１０】
（２）請求項２に係る考案は、請求項１において、前記芯材が、硬質プラスチックであることを特徴とする。
【考案の効果】
【００１１】
本考案によると、地震等の災害時に、床や地面に危険物が散乱した場合でも危険物を踏み抜くことなく安全に使用することができ、軽量で柔軟性を有するため歩き易く、かつ検針にも支障が生じない災害時用スリッパを提供することができる。
【図面の簡単な説明】
【００１２】
【図１】本考案による災害時用スリッパの外観斜視図である。
【図２】図１の災害時用スリッパのＡ断面図である。
【図３】図１の災害時用スリッパの側面図である。
【考案を実施するための形態】
【００１３】
以下、実施例を示した図面を参照しつつ本考案の実施形態を説明する。
図１において、１は本考案によるスリッパの外観斜視図である。
スリッパ１は、甲部２と、底部３とからなる。甲部２の爪先は、安全性確保のため閉じている。
【００１４】
図２は、図１のスリッパ１のＡ断面図である。底部３は、中板３１と芯材３２と底板３３と布材３１１とからなる。中板３１の下面に芯材３２を配置し、中板３１の表面を布材３１１で覆った上で、芯材３２の下面に布材３１１の周縁部を折り込んで接着固定し、さらにその下面に底板３３を接着させている。この構造により、芯材３２の周縁は布材３１１によって覆われるので、図１には表れず、スリッパ１の美観を損なうことがない。
【００１５】
布材３１１の素材は特に限定されず、天然繊維及び合成繊維のいずれでもよいが、災害時に用いることを考慮すると、耐久性と耐燃性を有する素材が好適である。尚、分かり易くするために、布材３１１は図２において厚みをもって示しているが、実際にはもっと薄く、しかも芯材３２と底板３３は接着させるため、図２のような芯材３２と底板３３との間の隙間はほとんど生じない。
【００１６】
芯材３２は、非金属製で、好適には硬質プラスチックである。硬度とともに、ある程度の柔軟性をも有する素材、例えば、アクリル（ＰＭＭＡ）、ポリスチレン（ＰＳ）等が望ましい。また、ポリアセタール（ＰＯＭ）やナイロン、ポリカーボネート（ＰＣ）等のエンジニアリングプラスチックも利用可能である。厚さは、使用時に危険物を踏み抜かない程度の強度とし、好適には２〜３ｍｍとする。これにより、底部３に強度と適度な柔軟性が得られ、さらには軽量となるため、安全かつ快適に使用できる。
【００１７】
中板３１は、柔軟性を有する素材、例えば、エチレン−酢酸ビニル共重合体（ＥＶＡ）が望ましい。また、安全性を確保するために、適度な厚みを持たせる。好適には２ｃｍ前後である。
【００１８】
底板３３は、災害時の床あるいは地面を歩くことを想定すると、柔軟かつ丈夫な素材であることが望ましく、例えば、塩化ビニル（ＰＶＣ）とエチレン−酢酸ビニル共重合体（ＥＶＡ）との混合材が挙げられる。
【００１９】
甲部２の構造及び素材については特に問わない。図２では、一例として、甲部芯材２１に布材３１１と同様の素材を貼付したものを甲部２とした。
【００２０】
図３は図１のスリッパ１の側面図である。図１同様、芯材３２は布材３１１に覆われているので、図３には表れない。
【符号の説明】
【００２１】
１      スリッパ
２      甲部
２１    甲部芯材
３      底部
３１    中板
３１１  布材
３２    芯材
３３    底板
【図１】
0003177584.tif 000003
【図２】
0003177584.tif 000004
【図３】
0003177584.tif 000005
(57)【要約】      （修正有）【課題】体裁のよい豪華な雰囲気の中で食事をすることが可能で、後片付けも全く手間がかからないテーブルを提供する。【解決手段】大皿や中皿が配膳されている状態の皿の絵柄を食卓テーブルに描く。絵柄はプリントシールでも良い。【選択図】図１
0003177581.tif 000002
【実用新案登録請求の範囲】
【請求項１】
テーブル表面の料理皿配膳位置に皿の絵柄を描いたことを特徴とした食卓テーブル。
【請求項２】
前記絵柄がプリントシールであって、食卓テーブルの表面に貼り付けられていることを特徴とする請求項１記載の食卓テーブル。
【考案の詳細な説明】
【技術分野】
【０００１】
本考案は、テーブルを汚すことなく体裁のよい食事ができ、後片付けも全く手間がかからず台所も汚さない食卓テーブルの提供を目的する。
【背景技術】
【０００２】
一人暮らしの人や忙しい人の中には台所での料理をしたくないあるいは台所の洗い物をしたくないと考えている人が多く存在する。
近年、コンビニエンスストアーなどでは多種多様な料理や惣菜が販売されており、尚且つ少人数用でも買い求めることができるので、それらの調理済み食品を調達して台所を使わずに食事をセットすることがある。
然しながら、コンビニエンスストアーなどで買い求める料理や惣菜はビニールパックやビニール袋に入っており、そのまま食卓に載せて食べる時はとても味気ない食事となる。
一方、それらを皿に盛り付ければ体裁は良くなるが食後その皿を洗わなければならないことになる。
そこで、家庭で皿に盛り付ける必要がないように、食品を見栄え良く並べて盛り付けることができる食品包装容器が提供されている。
例えば実用新案登録第３１３２０３９号にあっては、容器に傾斜段部を設けて食品を載置することによって正面から見た場合に体裁の良いものとなる（特許文献１）。そして、その容器はプラスチックでできているので可燃ごみあるいは資源ごみとしてそのまま廃棄することが可能になっている。
【先行技術文献】
【特許文献】
【０００３】
【特許文献１】実用新案登録第３１３２０３９号公報
【考案の概要】
【考案が解決しようとする課題】
【０００４】
ところで、前記した容器に並べ盛りつけられて販売されている食品はその容器ごと食卓に提供されることになるが、容器ごと配膳された場合には提供された料理の心のこもった温かみは全く生じない。
つまり、皿に盛られた料理と、プラスチック容器ごと出される料理とでは見栄えや雰囲気において雲泥の差があり、皿に盛り付けられた料理は、料理を提供する者の愛情やセンスも表現することができるが、容器ごと配膳した場合にはそのような感情の表現はすることができない。
【０００５】
本考案は前記した問題点を解決する手段として考案されたものであり、その目的とするところは、コンビニエンスストアーなどで販売されている食材や惣菜をあたかも皿に盛り付けて配膳しているかのような見栄えを呈して、体裁のよい豪華な雰囲気での食事とすることを可能とし、尚且つ、後片付けも全く手間がかからないテーブルの提供を目的する。
【課題を解決するための手段】
【０００６】
本考案にかかる配膳皿の絵柄を描いた食卓テーブルは前記した目的を達成することができ、請求項１に記載した手段は、テーブル表面の料理皿配膳位置に皿の絵柄を描いたことを特徴とした食卓テーブルである。
【０００７】
請求項２の手段は、請求項１における絵柄がプリントシールであって食卓テーブルの表面に貼り付けられていることを特徴としている。
【考案の効果】
【０００８】
先ず、 大皿や中皿が配膳されている状態の絵柄が描かれた本考案にかかる食卓テーブルの皿絵柄全面をラッピングフィルムで覆い、次いでその皿絵柄を本物の皿ように見立てて料理の盛り付けをすることによって、テーブルに向かって座った者から見た場合、あたかも皿に盛り付けられ提供されている料理のような錯覚を生じることになる。
食事が終わったら、全面を被ったラップを剥がし、食べ残しをそのままラップにくるんでゴミ箱に捨てればよい。
これによって、洗い物は全く出ず、台所を汚すことなく体裁の良い食事を楽しむことが可能となる。
【図面の簡単な説明】
【０００９】
【図１】本考案に係る配膳皿の絵柄が描かれたテーブルの表面図である。
【図２】同上テーブルの全景斜視図である。
【考案を実施するための形態】
【００１０】
本考案は、テーブル表面に配膳位置に載置した如く皿の絵柄を描いたものであり、描く皿の枚数は１人に対して１枚ないし４枚程度が適当である。
一方、中央に大皿を数枚おいて多人数で突きあいながら食するのを常とする家庭にあっては、その食事風景に合った皿の配置を描いた皿図柄のテーブルを用いればよい。
なお、実施例では花柄の洋皿が描かれているが、和食を好む家庭用に和風の雰囲気を出した和食器を描いたものであってもよい。
もちろん食事の為の皿の配置すなわち食卓に向かった人が食事をするのに適した皿の配置で描かれていなければならないので、図案画のようにテーブル一面に皿図案を散りばめたような図案柄は好ましくない。
【実施例１】
【００１１】
以下、本考案の実施例を図面と共に説明する。
本実施例では、向かい合って座る２人用テーブルで説明する。
食卓テーブル１のテーブル表面１ａには大皿２が手前に２枚、奥中央に中皿３が１枚、１人分の皿として描かれ、向かい合った２人分の皿の絵が描かれている。
尚、この絵は直接テーブル表面に描いても良いが、シールプリントでテーブル表面に貼着したものでも良い。
【００１２】
このテーブルの少なくとも１人分のすべての皿の全面を覆うようにビニールラップ４を被せる。
このビニールラップには市販のキッチン用ラッピングシートを利用すると便利である。
また、ビニールラップ４は食卓テーブル１ａの裏まで亘る長さで切り取り、面前のテーブル面をすっぽりと覆い被せる。
さらに、大きいビニールラップによって、テーブル面全体を１枚のビニーラップで全て覆うことができればさらに良い。
ビニールラップ４は透明のため下が透けて見えるので、食卓に描かれた皿はあたかも本物の皿がテーブルに載置されているかのように見える。
【００１３】
そして、コンビニエンスストアーなどで買い求めたビニールパックやビニール袋に詰められた料理や惣菜をテーブルに描かれた皿の図柄の上に直置きする。
この場合、汁ものは汁が流れないように注意して直置きする。
料理や惣菜をビニールラップ４を介した皿図柄の上に体裁よく盛り付けて食事の準備が完了する。
なお、食事の最中にビニールラップを破いてしまうとテーブル面が汚れてしまうので金属ナイフは使用しないことが好ましい。
【００１４】
食事が終わったら、全面を被ったラップ４を食べ残しの残飯を包み込むように剥がし、そのままゴミ箱に捨てればよい。
【産業上の利用可能性】
【００１５】
本考案にかかる食卓テーブルを利用することにより、食事に際して、テーブル面を汚さないことはもとより、洗い物は全く出ず、台所も汚すことなく体裁の良い食事ができ、コンビニエンスストアーなどで買い求めたビニール袋入りの料理や惣菜などであっても豪華な雰囲気を醸し出させることが可能となる。
【符号の説明】
【００１６】
１    食卓テーブル
１ａ  テーブル表面
２    大皿
３    中皿
４    ラップ
【図１】
0003177581.tif 000003
【図２】
0003177581.tif 000004
(57)【要約】      （修正有）【課題】耳朶に穿穴を行うことなく、ホルダーを用いて従来のピアスを耳に装着出来るようになるピアスホルダーを提供する。【解決手段】耳朶に装着されたイヤリング状の半円のリング１に、その下部外側にイヤリング金属輪と直角に付けられた輪２を構成部分とするホルダーを直結して、従来市販されているピアスの穿穴へ引っ掛けるフック部分を通して、ピアス本体を、耳朶に間接的に繋げる構造を持つピアスホルダーとする。【選択図】図１
0003177939.tif 000002
【実用新案登録請求の範囲】
【請求項１】
耳朶の表と裏に留めネジで当てがわれたイヤリング状の半円リングの最下部において、その最下部の外側にイヤリング状のリングと直角に付けられた輪をホルダーとして、その輪に、従来市販されているピアスのフックを通して、ピアス装飾部分をアクセサリーとするピアスホルダー。
【考案の詳細な説明】
【技術分野】
【０００１】
従来、金属アレルギーを初め、様々な理由で耳朶に穿穴してピアスを装着するアクセサリーファッションを楽しむ事が出来なかった人達に対して、耳朶の内外をネジで挟む半円の金属リングの下部に小さな輪を付けて、そこにピアスのフックを引っ掛け、アクセサリーとしてバラエティーのあるファッションを楽しむことを可能とするピアスホルダーに関する。
【背景技術】
【０００２】
従来は、ピアスニードルやピアッサーを用いて、耳朶に穴を開け、穴を開けた後日にちをおいて、穴を開けた組織が皮膚で覆われた後にピアスのフックを該穴に通して耳朶に付け、アクセサリーとしてこれにより様々なファッションを楽しむものである。さまざまなピアスを着けて楽しむためには、耳に孔をあける必要があるが、このように穿穴をよしとしない人にとっては、ピアスを身につけて楽しむことが出来ないものであった。また、現在ピアスに比べてイアリングの種類は限られていて、かつ、高価であることもあり、耳飾りとしてファッションを楽しむことが出来ないという問題点があった。
【０００３】
また、従来のピアスの問題点として、
ａ）穿穴の位置と角度を間違うと、斜めにピアスが刺さり、左右が不揃いとなる。
【０００４】
ｂ）穿穴後、化膿防止のために毎日の消毒が欠かせず、手間が掛かる。
【０００５】
ｃ）市販のピアスニードルやピアッサーなどの使用や、普段の衛生上の問題から、細菌やウィルスが侵入して引き起こされる感染トラブルを起こす可能性がある。
【０００６】
ｄ）初体験のピアスは、穿穴後にピアスと装着すると金属アレルギーが生じる場合がある。
【０００７】
ｅ）耳朶の穿穴が小さく細いピアスだと、ホールが安定しなかったり、痛み・化膿    腫れなどのトラブルの原因になったり、ケアがしずらい。
【０００８】
ｆ）出血しやすい人、出血後の血が止まりにくい人も、ピアスの穿穴は適していない。
【０００９】
ｇ）穿穴後、１ケ月〜１ケ月半は、耳朶に開けた穴の周囲の組織がむき出し、痛み・化膿・腫れのトラブルが起こりやすい。
【００１０】
ｈ）軟骨部分のピアスの穴あけは、一般の組織と違い、腫れあがり激しい炎症を起こす場合があり、炎症が落ち着いた後にも不良肉芽が残る場合がある。
【００１１】
先行技術文献１にはピアス兼用イアリングがあるが、本考案のような耳に様々なイアリングを着用するタイプではない。
【先行技術文献】
【特許文献】
【００１２】
【特許文献１】特開２００５−０００５２７号公報
【考案の概要】
【考案が解決しようとする課題】
【００１３】
本考案は従来のピアスを装着する時の問題点を解決し、また、穿穴後にイアリング感覚で様々なピアスを装着することが出来るピアスホルダーを提供することにある。
【課題を解決するための手段】
【００１４】
本考案は、
耳朶の表と裏に留めネジで当てがわれたイヤリング状の半円リングの最下部において、その最下部の外側にイヤリング状のリングと直角に付けられた輪をホルダーとして、その輪に、従来市販されているピアスのフックを通して、ピアス装飾部分をアクセサリーとするピアスホルダー、
である。
【００１５】
本考案のピアスホルダーは、耳朶に穿穴を行うことなく、耳朶の内外をネジで挟む半円の金属リングの下部に小さな輪を付けて、そこにピアスのフックを引っ掛け、アクセサリーとして様々なピアスを装着することによりバラエティーのあるファッションを楽しむことを可能とするものである。
【００１６】
ピアスホルダーは金属またはプラスチックで製造することが好ましく、例えば、金、銀、銅、プラチナ、鉄、亜鉛、ステンレスあるいはそれらの合金又は部分を構成する金属を接着、融着させて製造することが出来る。プラスチックとしては一般的な射出成型又は削り出し加工可能な素材であればなんでもよく、ポリエチレン、ポリプロピレン、ＡＢＳ、ポリオキシメチレン、ポリスチレン等が使用可能である。大きさは線径が２〜８ｍｍ程度のものが好ましく、片側には耳朶に固定するためのねじ部を有し、下部にはピアスをぶらさげる為のリングホルダーを有する。リングの開口部の大きさは２〜８ｍｍ程度が好ましい。
【考案の効果】
【００１７】
誰でも、すぐに、何時でも、気に入ったピアス用にデザインされたアクセサリーを身につけることが可能となり、様々なファッションを楽しむことが出来る。
【図面の簡単な説明】
【００１８】
【図１】本考案のピアスホルダー
【図２】従来のピアス
【符号の説明】
【００１９】
１  ピアスホルダー支持部
２  円形のリング
【図１】
0003177939.tif 000003
【図２】
0003177939.tif 000004
(57)【要約】【課題】使用者の顔面と頭部とを均一に照らすことができる位置に照明手段を取り付けた三面鏡を提供する。【解決手段】主鏡１５と、該主鏡１５の上縁に上下方向に回動自在かつ所望の角度に固定可能に取り付けられた上側鏡１９と、該主鏡１５の下縁に上下方向に回動自在かつ所望の角度に固定可能に取り付けられた下側鏡２５とを備えてなる三面鏡において、該主鏡１５の上縁にＬＥＤランプ３１を備えさせたことを特徴とする三面鏡。ＬＥＤランプ３１の光は、直接、又は主鏡１５若しくは下側鏡２５に反射して、使用者の頭部１８と顔面１７とを照らす。【選択図】図１
0003177932.tif 000002
【実用新案登録請求の範囲】
【請求項１】
主鏡と、該主鏡の上縁に上下方向に回動自在かつ所望の角度に固定可能に取り付けられた上側鏡と、該主鏡の下縁に上下方向に回動自在かつ所望の角度に固定可能に取り付けられた下側鏡とを備えてなる三面鏡において、
該主鏡の上縁にＬＥＤランプを備えさせたことを特徴とする三面鏡。
【考案の詳細な説明】
【技術分野】
【０００１】
本考案は、三面鏡に関するものである。
【背景技術】
【０００２】
三面鏡としては、主鏡と、該主鏡の両側縁にそれぞれ水平方向に回動自在に取り付けられた側鏡とよりなるものが従来より使用されている。
【０００３】
一方、特開２００８−２７２３３３号公報は、主鏡と、該主鏡の上縁に上下方向に回動自在かつ所望の角度に固定可能に取り付けられた上側鏡と、該主鏡の下縁に上下方向に回動自在かつ所望の角度に固定可能に取り付けられた下側鏡とを備えてなる三面鏡（以下「従来の三面鏡」という。）を開示している。
【０００４】
従来の三面鏡は、主鏡の上下左右の側縁部に照明手段を備えている。
【先行技術文献】
【特許文献】
【０００５】
【特許文献１】特開２００８−２７２３３３号公報
【考案の概要】
【考案が解決しようとする課題】
【０００６】
上記従来の三面鏡は、使用者が顔面を下方の下側鏡を通して見ることができると共に、頭部を上方の上側鏡を通して見ることができるため、特に、顔面の化粧及び頭髪の手入れ等の際に好ましく使用される。
【０００７】
しかるに、上記従来の三面鏡における照明手段は、主鏡の上下左右の側縁部に配設されているため、使用者の顔面と頭部とを均一に照らすことができないという問題がある。
【０００８】
このような点に鑑み、本考案は、主鏡と、該主鏡の上縁に上下方向に回動自在かつ所望の角度に固定可能に取り付けられた上側鏡と、該主鏡の下縁に上下方向に回動自在かつ所望の角度に固定可能に取り付けられた下側鏡とを備えてなる従来の三面鏡において、使用者の顔面と頭部とを均一に照らすことができる位置に照明手段を取り付けた三面鏡を提供する。
【課題を解決するための手段】
【０００９】
上記課題を解決するために、本考案は下記の三面鏡を提供する。
【００１０】
主鏡と、該主鏡の上縁に上下方向に回動自在かつ所望の角度に固定可能に取り付けられた上側鏡と、該主鏡の下縁に上下方向に回動自在かつ所望の角度に固定可能に取り付けられた下側鏡とを備えてなる三面鏡において、
該主鏡の上縁にＬＥＤランプを備えさせたことを特徴とする三面鏡。
【考案の効果】
【００１１】
本考案によれば、上側鏡を斜め下向きの角度に固定し、下側鏡を斜め上向きの角度に固定した状態で三面鏡を使用するときには、主鏡の上縁に備えさせたＬＥＤランプの光は、使用者の頭部の斜め上方より使用者の頭部と顔面とを直接照らすのみならず、下側鏡に反射して斜め下方より使用者の頭部と顔面とを照らし、あるいは、主鏡に反射して使用者の顔面を照らし、更に、主鏡に反射した後、下側鏡に反射して斜め下方より使用者の頭部と顔面とを照らす。したがって、該ＬＥＤランプの光は、使用者の頭部と顔面とを均一に照らす。図１参照。その結果、使用者は、顔面の化粧及び頭髪の手入れ等をより好ましく行うことができる。
【図面の簡単な説明】
【００１２】
【図１】図１は、本考案による三面鏡の一例を示す側面図である。
【図２】図２は、同上の正面図である。
【考案を実施するための形態】
【００１３】
図中、符号１に示すものは三面鏡の基部である。図示の事例においては、基部１は引出し等の収納部３、５、７、９を備え、基部１の上面１１には鏡部支持体１３が上方に突設されている。
【００１４】
鏡部支持体１３の前面における略中央部には主鏡１５が固定されている。該主鏡１５は、好ましくは、使用者の顔面１７に対応する高さに垂直に配設される。
【００１５】
該主鏡１５の上縁には上側鏡１９を上下方向に回動自在かつ所望の角度に固定可能に取り付ける。すなわち、一例として、図１、図２に示すように、上側鏡１９の枠体１９ａは、主鏡１５の枠体１５ａにおける上縁に蝶番２１を介して回動自在に枢着すると共に、トルクヒンジ２３を介して鏡部支持体１３に連結する。トルクヒンジ２３は、上側鏡１９を角度調節自在ならしめるものであり、上側鏡１９を所望の角度に保持する角度保持機能を備えている。
【００１６】
該主鏡１５の下縁には下側鏡２５を上下方向に回動自在かつ所望の角度に固定可能に取り付ける。すなわち、一例として、図１、図２に示すように、下側鏡２５の枠体２５ａは、主鏡１５の枠体１５ａの下縁に蝶番２７を介して回動自在に枢着すると共に、トルクヒンジ２９を介して鏡部支持体１３に連結する。トルクヒンジ２９は、下側鏡２５を角度調節自在ならしめるものであり、下側鏡２５を所望の角度に保持する角度保持機能を備えている。
【００１７】
しかして、本考案においては、照明手段として、該主鏡１５の上縁にＬＥＤランプ３１を備えさせる。
【００１８】
次に、上側鏡１９を斜め下向きの角度に固定し、下側鏡２５を斜め上向きの角度に固定した状態で三面鏡を使用するときに、主鏡１５の上縁に備えさせたＬＥＤランプ３１の光が進む方向について、図１を参照して説明する。
【００１９】
（イ）ＬＥＤランプ３１の光は、鎖線ａに示すように、使用者の頭部１８の斜め上方より使用者の頭部１８と顔面１７とを直接照らす。
【００２０】
（ロ）ＬＥＤランプ３１の光は、鎖線ｂに示すように、下側鏡２５に反射して斜め下方より使用者の頭部１８と顔面１７とを照らす。
【００２１】
（ハ）ＬＥＤランプ３１の光は、鎖線ｃに示すように、主鏡１５に反射して使用者の顔面１７を照らす。
【００２２】
（ニ）ＬＥＤランプ３１の光は、鎖線ｄに示すように、主鏡１５に反射した後、下側鏡２５に反射して斜め下方より使用者の頭部１８と顔面１７とを照らす。
【符号の説明】
【００２３】
１  基部
３  収納部
５  収納部
７  収納部
９  収納部
１１  上面
１３  鏡部支持体
１５  主鏡
１５ａ  枠体
１７  顔面
１８  頭部
１９  上側鏡
１９ａ  枠体
２１  蝶番
２３  トルクヒンジ
２５  下側鏡
２５ａ  枠体
２７  蝶番
２９  トルクヒンジ
３１  ＬＥＤランプ
【図１】
0003177932.tif 000003
【図２】
0003177932.tif 000004